(57)【要約】【課題】  積み重ね可能な歯科用ホルダー、歯科用フロスホルダーを受容するためのハンドル、および歯科用フロス器具を提供することを目的とする。【解決手段】  基部２１および基部から延在する間隔を置いて配置された一対のアーム部２２，２３を有する歯科用フロスホルダー２０であって、ある長さの歯科用フロス２４が一対のアームの遠位の端部の間に固定されていて、基部が第１の横方向の側面２５および第２の横方向の側面２６を有し、第１および第２の横方向の側面の各々が、少なくともひとつの凸部２５Ａ，２６Ａおよび凸部から横方向に離れた少なくともひとつの凹部２５Ｂ，２６Ｂを有する。【選択図】        図２
2004255184.tif 000002
【特許請求の範囲】
【請求項１】
基部および上記基部から延在する間隔を置いて配置された一対のアーム部を有する歯科用フロスホルダーであって、
ある長さの歯科用フロスが上記一対のアームの遠位の端部の間に固定されていて、
上記基部が第１の横方向の側面および第２の横方向の側面を有し、
上記第１および第２の横方向の側面の各々が、少なくともひとつの凸部および上記凸部から横方向に離れた少なくともひとつの凹部を有する、歯科用フロスホルダー。
【請求項２】
解除可能な摩擦係合によって歯科用フロスホルダーを受容するためのハンドルであって、
長寸のグリップ部と、
上記グリップ部に対してほぼ横方向に延在するヘッド部と
を有し、
上記ヘッド部が、底部と、間隔を置いて配置された第１の壁部および第２の壁部とを備えたほぼＵ形の溝を有し、
上記第１の壁部が、少なくともひとつの凹部および上記少なくともひとつの凹部から横方向に離れた少なくともひとつの凸部を有し、
上記第２の壁部が、少なくともひとつの凸部および上記少なくともひとつの凸部から横方向に離れた少なくともひとつの凹部を有する、歯科用フロスホルダーを受容するためのハンドル。
【請求項３】
請求項１記載の歯科用フロスホルダーと、上記歯科用フロスホルダーと解除可能に係合した請求項２記載のハンドルとを有する歯科用フロス器具。
【発明の詳細な説明】
【技術分野】
【０００１】
本発明は、ヘッド部を備えたハンドルと積み重ね可能な歯科用フロスホルダーとを有する歯科用フロス器具に関する。歯科用フロスホルダーは解除可能な係合手段によってハンドルのヘッド部に解除可能に付着する。解除可能な係合手段は歯科用フロスホルダーおよびハンドルのヘッド部の両方の凹部および凸部を含む。歯科用フロスホルダーの凹部および凸部の配列によって歯科用フロスホルダーは積み重ね可能になっている。好ましくは、歯科用フロスホルダーは歯科用フロスホルダーがハンドルのヘッド部へ固定されるのを増強するためのスナップ嵌め手段を有する。
【背景技術】
【０００２】
取り外し可能な歯科用フロスホルダーすなわちカートリッジを備えた歯科用フロス器具が当業者に知られている。歯科用フロス器具は歯科用フロスホルダーを受容して保持するように設計されたヘッド部を備えたハンドルを一般的に含んでいる。使用時には、歯科用フロスホルダーはヘッド部に取り付けられて歯科用フロスが歯間に挿入される。歯科用フロスを用いていくつかの歯が清掃された後、歯科用フロスホルダーは取り外されて新しい歯科用フロスホルダーと交換される。
【０００３】
取り替え用の歯科用フロスホルダーは典型的には１０個または２０個のロット単位で包装されて販売されている。歯科用フロスホルダーの製造方法は典型的には一本の歯科用フロス材料が装着された型内に複数のホルダーを同時に射出成形する工程を含む。射出成形された複数の歯科用フロスホルダーは射出成形工程から出たときプラスチック製の背骨によって連結されている。射出成形され冷却された後、歯科用フロスホルダーは背骨から取り外されて包装工程に送られる。ほとんどの歯科用フロスホルダーは積み重ねることができず、その結果歯科用フロスホルダーは射出成形後の作業および包装作業の間に取り扱いが厄介である。
【０００４】
ハンドルおよびハンドルに係合可能な積み重ねることができない歯科用フロスホルダーを有する歯科用フロス器具が特許文献１（米国特許第５，４８３，９８２号）に教示されていて、この特許文献の開示内容の全体は参照文献として引用される。
【０００５】
積み重ねることができない歯科用フロスホルダーは同じ個数の積み重ね可能な歯科用ホルダーに比べて取り扱いがより難しく、包装により大きなスペースを必要とする。積み重ね可能な歯科用フロスホルダーを供給することで、包装作業の間の取り扱いが簡単化され、包装コストが低減される。歯科用フロスホルダーの包装コストは歯科用フロスホルダーが積み重ね可能で積み重ねられた形態で包装される場合に低減される。したがって、積み重ね可能な歯科用フロスホルダーが必要とされている。
【特許文献１】米国特許第５，４８３，９８２号明細書（第３−５欄、第２図）
【発明の開示】
【発明が解決しようとする課題】
【０００６】
本発明は、上記の従来技術の課題を解決するためのもので、積み重ね可能な歯科用ホルダー、歯科用フロスホルダーを受容するためのハンドル、および歯科用フロス器具を提供することを目的とする。
【課題を解決するための手段】
【０００７】
第１の実施の形態では、本発明は、長寸のグリップ部およびヘッド部を備えたハンドルと後に歯をフロスできれいにするのに用いるためにヘッド部に解除可能に結合されるように適合された歯科用フロスホルダーとを有する歯科用フロス器具を提供する。その歯科用フロス器具は、歯科用フロスホルダーを使用中にハンドルに解除可能に固定するための解除可能な係合手段をさらに有する。ハンドルのヘッド部はグリップ部の長手方向の軸に対して横方向に延在していて、その結果ハンドルはほぼＴ形の形状を有する。ヘッド部は歯科用フロスホルダーを解除可能に受容するためのほぼＵ形の溝を含む。Ｕ形の溝は底部および間隔を置いて配置された２つの壁部を有する。Ｕ形の溝を画定する２つの壁部のうちの第１の壁部は少なくともひとつの凸部と凸部から横方向に離れた少なくともひとつの凹部とを有する。２つの壁部のうちの第２の壁部も少なくともひとつの凸部と凸部から横方向に離れた少なくともひとつの凹部とを有する。第１の壁部の凸部は第２の壁部の凹部と実質的に向かい合って配置されている。第１の壁部の凹部は第２の壁部の凸部と実質的に向かい合って配置されている。歯科用フロスホルダーは基部と基部から延出してある長さの歯科用フロスを互いの間に収容する間隔を置いて配置された一対のアーム部とを有する。基部は一対の横方向の側面を有する。横方向の側面の各々は少なくともひとつの凸部と凸部から横方向に離れた少なくともひとつの凹部とを有する。第１の側面の凸部は第２の側面の凹部と実質的に背中合わせに配置されている。第１の側面の凹部は第２の側面の凸部と実質的に背中合わせに配置されている。ヘッド部のＵ形の溝を画定する２つの壁部の凸部および凹部は、上記の歯科用フロスホルダーの基部の横方向の側面の凹部および凸部を摩擦係合によって受容するように寸法および配置が設定されている。組立時には、歯科用フロスホルダーの基部はハンドルのヘッド部の横方向に延在するほぼＵ形の溝内に嵌め合わされる。
【０００８】
好ましくは、歯科用フロスホルダーの間隔を置いて配置された一対のアーム部は、ハンドルのヘッド部の端部と係合するための内向きに延在するスナップ嵌め突出部をも含む。ハンドルのヘッド部の端部と係合するそのようなスナップ嵌め突出部は、歯科用フロスホルダーをハンドルのヘッド部に固定する程度を増強する。
【０００９】
第２の実施の形態では、本発明は、基部と基部から延出する間隔を置いて配置された一対のアーム部を有する積み重ね可能な歯科用フロスホルダーを提供する。ある長さの歯科用フロスが間隔を置いて配置されたアーム部の遠位の端部の間に固定されている。基部は一対の横方向の側面を有する。横方向の側面の各々は、少なくともひとつの凸部と凸部から横方向に離れた少なくともひとつの凹部とを有する。第１の横方向の側面の凸部は第２の横方向の側面の凹部と背中合わせに配置されている。第１の横方向の側面の凹部は第２の横方向の側面の凸部と背中合わせに配置されている。好ましくは、間隔を置いて配置されたアーム部はハンドルのヘッド部の端部と係合するためのスナップ嵌め突出部を含む。
【００１０】
第３の実施の形態では、本発明は、長寸のグリップ部と歯科用フロスホルダーを解除可能に受容するためのヘッド部とを有するハンドルを提供する。ハンドルのヘッド部はグリップ部の長手方向の軸に対して横方向に延在し、その結果ハンドルはほぼＴ形の形状を有する。ヘッド部は上記の歯科用フロスホルダーを解除可能に受容するためのほぼＵ形の溝を含む。Ｕ形の溝は底部および間隔を置いて配置された２つの壁部を有する。Ｕ形の溝を画定する２つの壁部のうちの第１の壁部は少なくともひとつの凸部と凸部から横方向に離れた少なくともひとつの凹部とを有する。２つの壁部のうちの第２の壁部も少なくともひとつの凸部と凸部から横方向に離れた少なくともひとつの凹部とを有する。第１の壁部の凸部は第２の壁部の凹部と実質的に向かい合って配置されている。第１の壁部の凹部は第２の壁部の凸部と実質的に向かい合って配置されている。ヘッド部のＵ形の溝を画定する２つの壁部の凸部および凹部は上記の歯科用フロスホルダーの基部の２つの横方向の側面の凹部および凸部を摩擦係合によって受容するように寸法および配置が設定されている。
【００１１】
ヘッド部の２つの両側の端部は上記の歯科用フロスホルダーのスナップ嵌め突出部を受容する。
【発明の効果】
【００１２】
本発明によれば、包装作業の間の取り扱いが簡単化され、包装コストが低減できる効果がある。
【発明を実施するための最良の形態】
【００１３】
本発明の歯科用フロス器具を構成するハンドルおよび歯科用フロスホルダーは、当業者に知られた任意の適切な材料で作られていてよい。適切な材料には、以下に限定されないが、ポリメチルメタクリレートのようなポリアクリレート；ポリエチレンおよびポリプロピレンのようなポリオレフィン；ポリカプロラクトンのようなポリエステル；コポリエステル；ポリカーボネート；およびそれらの混合物のようなポリマーが含まれる。
【００１４】
ハンドルおよび歯科用フロスホルダーは同じ材料または異なる材料で作られていてよい。好ましくは、ハンドルは歯科用フロスホルダー（歯科用フロスの材料を除く。）が作られている材料よりも硬い材料で作られている。好ましい実施の形態では、ハンドルはコポリエステル樹脂から作られていて、歯科用フロスホルダー（歯科用フロスの材料を除く。）はポリプロピレン樹脂から作られている。
【００１５】
本発明のハンドルおよび積み重ね可能な歯科用フロスホルダーは当業者に知られた任意の適切な方法によって作られてよい。射出成形法が好ましい。
【００１６】
歯科用フロスホルダーは歯間を清掃するためのある長さの歯科用フロスを保持している。当業者に知られた任意の歯科用フロスの材料が本発明の歯科用フロスホルダーで用いられてよい。歯科用フロスの材料はモノフィラメント糸または複数のモノフィラメント糸を有するマルチフィラメント糸であってよい。
【００１７】
マルチフィラメント糸の形態の歯科用フロスは断面形状がほぼ円形で典型的には約２００デニール（１０ｇ／４５０ｍ）から約１４００デニール（７０ｇ／４５０ｍ）までの範囲内の太さである。個々の繊維の太さは典型的には約１デニール（０．０５ｇ／４５０ｍ）から約６デニール（０．３ｇ／４５０ｍ）までの範囲内にあるが、状況に応じて必要な場合にはその他の太さの繊維が用いられてもよい。
【００１８】
疑似モノフィラメント糸も本発明で歯科用フロスの材料として用いられてよい。疑似モノフィラメント糸はあるポリマーからなるコアと異なるポリマーからなるシースを有する複合繊維を押出加工し、次にシースの繊維を部分的もしくは全体的に溶融して（コアおよびシースの）繊維を接着または融着して結果的にモノフィラメントの外観および感触をもたらすことによって作られる。疑似モノフィラメント糸を作るための適切な複合繊維の一例として、ナイロン６からなるコアとペバックス（Ｐｅｂａｘ：登録商標）を商標とするポリエーテル／アミドのコポリマーからなるシースがある。ナイロン以外の他の材料が複合繊維のコアとして用いられてよく、ポリエーテル／アミドのコポリマー以外の他の高分子材料がシースの材料として用いられてよい。
【００１９】
本発明で用いられてよい他の歯科用フロスの材料には、以下に限定されないが、ナイロン６−６、ナイロン６、ポリプロピレン、ポリエチレン、高分子量ポリエチレン、超高分子量ポリエチレン、ポリテトラフルオロエチレン、およびそれらの類似物がある。それらの材料の組み合わせが用いられてもよい。超高分子量ポリエチレンが歯科用フロスに好ましい材料である。
【００２０】
マルチフィラメント糸からなる歯科用フロスを構成する個々のモノフィラメント糸は必要な場合には空気で交絡加工されていてよい。モノフィラメント糸が空気で交絡加工されている場合、交絡加工された結び目は約１．２５ｃｍから約８．９ｃｍまでの範囲内の間隔で配置されていてよい。空気で交絡加工されたあるタイプの糸が米国特許第５，９０８，０３９号に記載されていて、この米国特許明細書の開示内容は参照文献として引用される。
【００２１】
当業者に知られているように、歯科用フロスはより糸であってよい。歯科用フロスがより糸の場合、２．５４ｃｍ当たり６回転未満であることが好ましく、２．５４ｃｍ当たり５回転未満であることがより好ましい。
【００２２】
当業者に知られているように、歯科用フロスはワックス、香味剤、有効成分、およびそれらの類似物でコーティングされていてよい。
【００２３】
歯科用フロスホルダーのある製造方法では、歯科用フロスが複数のキャビティを備えた成形型を貫通して供給され、次にプラスチックが成形型内に射出されて歯科用フロスホルダーが形成される。射出成形工程が完了した後に、歯科用フロスは切断されて両端で結び目がつくられる。
【００２４】
代わりに、歯科用フロスの材料の両端が歯科用フロスを所定の位置に維持する球体を形成するために加熱されてよい。このタイプの製造方法は当業者に知られていて、本発明の歯科用フロスホルダーを製造するために用いられてよい。例えば、米国特許第４，００６，７５０号、同第４，０１６，８９２号、および同第５，０８６，７９２号が参照され、これらの米国特許明細書の全ての教示内容は参照文献として引用される。
【００２５】
製造されてハンドルに挿入される前の歯科用フロスホルダーの歯科用フロスは典型的には幾分かのたるみを有する。使用時には、歯科用フロスはぴんと張られていることが好ましい。この様子が図２に示されていて、図２ではＷは製造時の歯科用フロスホルダーの幅を表していて、Ｗ１は図１に示されたハンドル１０に係合したときの歯科用フロスホルダーのわずかにより広い幅を表している。歯科用フロスホルダーのスナップ嵌め突出部とヘッド部の端部との関係は、歯科用フロス器具が使用するために組み立てられたときに歯科用フロスの材料がぴんと張られるように設定されていてよい。より詳しく言うと、ハンドルのヘッド部の長さは、歯科用フロスホルダーがヘッド部のＵ形の溝内に固定されて歯科用フロスホルダーのアーム部のスナップ嵌め突出部がヘッド部の端部と係合したときに、歯科用フロスホルダーのアーム部の間の距離が増加して歯科用フロスの材料がぴんと張られるような寸法に設定されている。典型的には、この距離（アーム部の間の距離）は約０．０１２７ｃｍ（０．００５インチ）から約０．１５２４ｃｍ（０．０６インチ）までの範囲内で変化し、より好ましくは約０．０２５４ｃｍ（０．０１インチ）から約０．０５０８ｃｍ（０．０２インチ）までの範囲内で変化する。
【００２６】
実施例が本発明の歯科用フロスホルダー、ハンドル、および歯科用フロス器具をさらに例示するために以下に説明される。本発明はここに記載された特定的な細部に限定されるものと解釈されるべきではない。
【００２７】
実施例１−ハンドル
本発明の教示内容に基づくハンドルは、射出成形法によって市販のコポリエステル樹脂から作られた。そのコポリエステル樹脂のノッチ付アイゾッド値は８０Ｊ／ｍ（ジュール毎メートル）であった。添付の図面を参照すると、ハンドル１０は長寸のグリップ部１１およびグリップ部１１の遠位の端部のヘッド部１２を有する。ヘッド部１２はグリップ部１１の長手方向の軸に対して横方向に延在し、その結果ハンドル１０はほぼＴ形の形状を有する。ヘッド部１２は上記のタイプのそして実施例２の歯科用フロスホルダーを解除可能に受容するためのほぼＵ形の溝（図４Ａおよび図４Ｂに最もよく示されている。）を含む。Ｕ形の溝は凸状の底部１４および間隔を置いて配置された２つの壁部１６，１８を有する。第１の壁部１６は図４Ａに示されているように凸部１６Ａと凸部１６Ａから横方向に離れた凹部１６Ｂとを有する。Ｕ形の溝を画定する第２の壁部１８は凸部１８Ａと凸部１８Ａから横方向に離れた凹部１８Ｂとを有する。第１の壁部１６の凸部１６Ａは第２の壁部１８の凹部１８Ｂと実質的に向かい合って配置されている。第１の壁部１６の凹部１６Ｂは第２の壁部１８の凸部１８Ａと実質的に向かい合って配置されている。第１の壁１６および第２の壁１８の凸部１６Ａ，１８Ａおよび凹部１６Ｂ，１８Ｂは、上記の歯科用フロスホルダー２０の基部２１の横方向の側面２５，２６の嵌め合わされる凹部および凸部を解除可能な摩擦係合によって受容するように寸法および配置が設定されている。以下の実施例２をも参照のこと。ヘッド部１２の側面（端部）１３，１５は歯科用フロス器具が組み立てられて使用する準備ができたときに歯科用フロスホルダー２０のスナップ嵌め突出部２７Ａ，２７Ｂと係合する。
【００２８】
実施例２−積み重ね可能な歯科用フロスホルダー
本発明の教示内容に基づく積み重ね可能な歯科用フロスホルダーは、上記の種類の射出成形法によって市販のポリプロピレン樹脂から作られた。そのポリプロピレン樹脂のノッチ付アイゾッド値は３０Ｊ／ｍ（ジュール毎メートル）であった。超高分子量ポリエチレン製のマルチフィラメント糸（４００デニール、２．５４ｃｍ（１インチ）当たり約３回転、１フィラメント当たり約１．９デニール）が歯科用フロスの材料として用いられた。図２に示されているように、積み重ね可能な歯科用フロスホルダー２０は、基部２１および基部２１から延出してある長さの歯科用フロス２４を互いの間に受容する間隔を置いて配置された一対のアーム部２２，２３を有する。基部２１は一対の横方向の側面２５，２６を有する。横方向の側面２５は、凸部２５Ａおよび凸部２５Ａから横方向に離れた凹部２５Ｂを有する。第１の横方向の側面２５の凸部２５Ａは第２の横方向の側面２６の凹部２６Ｂと実質的に背中合わせに配置されている。第１の横方向の側面２５の凹部２５Ｂは第２の横方向の側面２６の凸部２６Ａと実質的に背中合わせに配置されている。好ましくは、間隔を置いて配置された一対のアーム部２２，２３は、ハンドル１０のヘッド部１２の端部１３，１５と係合するためのスナップ嵌め突出部２７Ａ，２７Ｂを含む。この係合は図３Ａに最もよく示されていて、図３Ａではスナップ嵌め突出部２７Ａ，２７Ｂはヘッド部１２の側面（端部）１３，１５の対応する角に係合している。歯科用フロス２４は図２に緩んだ状態とぴんと張った状態（一点鎖線）で示されている。
【００２９】
実施例３−歯科用フロス器具
歯科用フロス器具は実施例２の積み重ね可能な歯科用フロスホルダーを実施例１のハンドルのヘッド部に挿入することによって組み立てられた。そのようにして組み立てられた歯科用フロス器具が図３に示されている。歯科用フロスホルダーの凹部はハンドルのヘッド部の凸部を解除可能な摩擦係合によって受容している。それに呼応して、ハンドルのヘッド部の凹部は歯科用フロスホルダーの凸部を解除可能な摩擦係合によって受容している。歯科用フロスホルダー２０のアーム部２２，２３のスナップ嵌め突出部２７Ａ，２７Ｂはハンドルのヘッド部の端部１３，１５（端部１３，１５の下側の角を含める。）と係合している。
【００３０】
図５は、積み重ねられた５個の図２の歯科用フロスホルダーに６個目の歯科用フロスホルダーが加えられようとしている様子を示している。典型的には１０個または２０個の歯科用フロスホルダーからなる歯科用フロスホルダーの積層体は、後に販売するために例えばプラスチック製のラップ、蓋付きの熱成形された容器、またはそれらの類似物内に包装されてよい。
【００３１】
図５Ａはある歯科用フロスホルダー（例えば５個の歯科用フロスホルダーからなる積層体の最も右側の歯科用フロスホルダー）の基部の凸部および凹部が隣接する歯科用フロスホルダー（例えば図５Ａの単独の歯科用フロスホルダー）の凹部および凸部と嵌め合わされる様子を示している。
【００３２】
この発明の具体的な実施態様は以下の通りである。
（１）第１の横方向の側面の少なくともひとつの凸部が、第２の横方向の側面の少なくともひとつの凹部と背中合わせに配置されている、請求項１記載の歯科用フロスホルダー。
（２）第１の横方向の側面の少なくともひとつの凹部が、第２の横方向の側面の少なくともひとつの凸部と背中合わせに配置されている、請求項１記載の歯科用フロスホルダー。
（３）第１の横方向の側面の少なくともひとつの凸部が、第２の横方向の側面の少なくともひとつの凹部と背中合わせに配置されていて、
第１の横方向の側面の少なくともひとつの凹部が、第２の横方向の側面の少なくともひとつの凸部と背中合わせに配置されている、請求項１記載の歯科用フロスホルダー。
（４）一対のアーム部の各々がスナップ嵌め突出部を有する、上記実施態様（３）記載の歯科用フロスホルダー。
（５）一対のアーム部の各々がスナップ嵌め突出部を有する、請求項１記載の歯科用フロスホルダー。
【００３３】
（６）複数の積み重ねられた形態の請求項１記載の歯科用フロスホルダー。
（７）複数の積み重ねられた形態で包装された請求項１記載の歯科用フロスホルダー。
（８）歯科用フロス以外がポリプロピレンからなる、請求項１記載の歯科用フロスホルダー。
（９）歯科用フロスが超高分子量ポリエチレン製のマルチフィラメント糸からなる、請求項１記載の歯科用フロスホルダー。
（１０）第１の壁部の少なくともひとつの凹部が、第２の壁部の少なくともひとつの凸部とほぼ向かい合って配置されている、請求項２記載のハンドル。
【００３４】
（１１）第１の壁部の少なくともひとつの凸部が、第２の壁部の少なくともひとつの凹部とほぼ向かい合って配置されている、請求項２記載のハンドル。
（１２）  第１の壁部の少なくともひとつの凹部が、第２の壁部の少なくともひとつの凸部とほぼ向かい合って配置されていて、
第１の壁部の少なくともひとつの凸部が、第２の壁部の少なくともひとつの凹部とほぼ向かい合って配置されている、請求項２記載のハンドル。
（１３）底部が凸状である、請求項２記載のハンドル。
【図面の簡単な説明】
【００３５】
【図１】本発明に基づく歯科用フロス器具のある実施の形態の分解斜視図である。
【図２】本発明に基づく歯科用フロスホルダーのある実施の形態の斜視図である。
【図３】図４に示されたハンドルに解除可能に係合した図２の歯科用フロスホルダーを示す図である。
【図３Ａ】図３の線３Ａ−３Ａに沿った側面図である。
【図４】図２の歯科用フロスホルダーを解除可能に受容するためのハンドルの上面図である。
【図４Ａ】図４の円で囲まれた部分の拡大図である。
【図４Ｂ】図４Ａの線４Ｂ−４Ｂに沿った断片的な拡大側面図である。
【図５】積み重ねられた形態の５個の図２の歯科用フロスホルダーに６番目の歯科用フロスホルダーが係合されようとしている状態を示す斜視図である。
【図５Ａ】図５の線５Ａ−５Ａに沿った断面図である。
【符号の説明】
【００３６】
１０  ハンドル
１１  グリップ部
１２  ヘッド部
１３  端部
１４  凹状の底部
１５  端部
１６  第１の壁部
１６Ａ  凸部
１６Ｂ  凹部
１８  第２の壁部
１８Ａ  凸部
１８Ｂ  凹部
２０  歯科用フロスホルダー
２１  基部
２２，２３  アーム部
２４  歯科用フロス
２５  第１の横方向の側面
２５Ａ  凸部
２５Ｂ  凹部
２６  第２の横方向の側面
２６Ａ  凸部
２６Ｂ  凹部
２７Ａ，２７Ｂ  スナップ嵌め突出部
【図１】
2004255184.tif 000003
【図２】
2004255184.tif 000004
【図３】
2004255184.tif 000005
【図３Ａ】
2004255184.tif 000006
【図４】
2004255184.tif 000007
【図４Ａ】
2004255184.tif 000008
【図４Ｂ】
2004255184.tif 000009
【図５】
2004255184.tif 000010
【図５Ａ】
2004255184.tif 000011
【外国語明細書】
2004255184000001.pdf